(57)【要約】【課題】施工が簡単で仕上がり外観も良好となるサイディング用役物を提供する。【解決手段】帯板状の表面化粧部１の裏側略中央に一対の脚片２でなる嵌合凸部３が長手方向に沿って突設されたカバー部材４と、カバー部材４を取付保持するために嵌合凸部３が嵌合される嵌合凹部５を有して建物躯体６に固定されるベース部材７と、を備え、カバー部材４の表面化粧部１の両側背方にサイディング本体８の端部が納められるサイディング用役物であって、長手方向で隣接するカバー部材４の端部間に連結杆９を介設し、連結杆９の両端部分をカバー部材４の嵌合凸部３となる一対の脚片２の間隔スペースＳに嵌合してカバー部材４を連結し、この状態で嵌合凸部３を嵌合凹部５に嵌合して、複数のカバー部材４が連結一体化されてベース部材７に取付保持されるようになした。【選択図】図１
2007224515.tif 000002
【特許請求の範囲】
【請求項１】
帯板状の表面化粧部の裏側略中央に一対の脚片でなる嵌合凸部が長手方向に沿って突設されたカバー部材と、カバー部材を取付保持するために嵌合凸部が嵌合される嵌合凹部を有して建物躯体に固定されるベース部材と、を備え、カバー部材の表面化粧部の両側背方にサイディング本体の端部が納められるサイディング用役物であって、長手方向で隣接するカバー部材の端部間に連結杆を介設し、連結杆の両端部分をカバー部材の嵌合凸部となる一対の脚片の間隔スペースに嵌合してカバー部材を連結し、この状態で嵌合凸部を嵌合凹部に嵌合して、複数のカバー部材が連結一体化されてベース部材に取付保持されるようになしたサイディング用役物。
【請求項２】
連結杆を弾性材料で形成したことを特徴とする請求項１記載のサイディング用役物。
【請求項３】
連結杆の外周面に抜け止め用の複数の凸起を形成したことを特徴とする請求項１又は２記載のサイディング用役物。
【請求項４】
嵌合凸部となる一対の脚片を基片から二股状に分岐させて形成したことを特徴とする請求項１〜３のいずれか一項記載のサイディング用役物。
【発明の詳細な説明】
【技術分野】
【０００１】
本願発明は、ベース部材にカバー部材を取付保持させて、カバー部材の両側背方にサイディング本体の端部が納められるようになした、建物の外装等に適用されるサイディング用役物に関するものである。
【背景技術】
【０００２】
従来から、図５に示すように、カバー部材４を外壁である建物躯体６に固定されるベース部材７に取付保持させて、カバー部材４の両側背方に外壁板材であるサイディング本体８の端部が納められるサイディング用役物は知られている（特開２００５−１５５１３４号公報）。このサイディング用役物にあっては、帯板状の表面化粧部１の裏側略中央に一対の脚片２でなる嵌合凸部３が長手方向に沿って突設されたカバー部材４と、カバー部材４を取付保持するために嵌合凸部３が嵌合される嵌合凹部５を有して建物躯体６に固定されるベース部材７と、を備え、カバー部材４の表面化粧部１の両側背方にサイディング本体８の端部が納められる。
【０００３】
したがって、この場合、サイディング本体８の端部がカバー部材４の表面化粧部１で覆い隠されて外装の目地部位は外観良く納められ、この目地部位からの雨水等の侵入も防止される。ところで、サイディング本体８としては金属サイディングと称されるものが一般的で、化粧された亜鉛メッキ鋼鈑やステンレス板等の裏面にロックウール等の断熱材を装着一体化して形成され、通常は建物の外壁にカバー部材４とベース部材７とを備えた金属製のサイディング用役物を用いて取り付けられる。また、サイディング用役物は外壁の平面部位だけでなく出隅や入隅等のコーナー部位にも適用され、その場合、カバー部材４の表面化粧部１がコーナー部位に対応して断面略直角に折曲している。
【特許文献１】特開２００５−１５５１３４号公報
【発明の開示】
【発明が解決しようとする課題】
【０００４】
しかしながら、上記従来例であるサイディング用役物においては、カバー部材４が長尺ではあるが所定の長さ寸法であり、ベース部材７に対して複数本のカバー部材４を各別に取付保持させなければならず、施工が困難で面倒となるものであった。また、カバー部材４をより長尺寸法に形成することで施工を簡略化することも考えられるが、この場合、カバー部材４を取り扱い難くなり、施工はそれ程に簡単とならず、製品の梱包形態が長寸法となって運搬等にも問題が発生する。しかも、複数本のカバー部材４を各別に取付保持させるので、各カバー部材４は直線的に並び難く、目地の直線性についての施工仕上がり外観に支障を来すという問題が発生する。
【０００５】
本願発明は、上記背景技術に鑑みてなされたものであり、その課題は、施工が簡単で仕上がり外観も良好となるサイディング用役物を提供することである。
【課題を解決するための手段】
【０００６】
上記課題を解決するために、本願発明のサイディング用役物は、帯板状の表面化粧部の裏側略中央に一対の脚片でなる嵌合凸部が長手方向に沿って突設されたカバー部材と、カバー部材を取付保持するために嵌合凸部が嵌合される嵌合凹部を有して建物躯体に固定されるベース部材と、を備え、カバー部材の表面化粧部の両側背方にサイディング本体の端部が納められるサイディング用役物であって、長手方向で隣接するカバー部材の端部間に連結杆を介設し、連結杆の両端部分をカバー部材の嵌合凸部となる一対の脚片の間隔スペースに嵌合してカバー部材を連結し、この状態で嵌合凸部を嵌合凹部に嵌合して、複数のカバー部材が連結一体化されてベース部材に取付保持されるようになしたものである。
【発明の効果】
【０００７】
本願発明のサイディング用役物においては、嵌合凸部となる一対の脚片が嵌合凹部に嵌合されてカバー部材はベース部材に取付保持され、カバー部材の表面化粧部の両側背方にサイディング本体の端部が体裁良く納められて保護される。
【０００８】
しかも、その際、連結杆の両端部分をカバー部材の嵌合凸部となる一対の脚片の間隔スペースに嵌合してカバー部材を連結し、この状態で嵌合凸部を嵌合凹部に嵌合して、複数のカバー部材が連結一体化されてベース部材に取付保持されるので、複数のカバー部材をまとめて取付保持させることができて施工は簡単となる。更には、各カバー部材を分離しておくことで運搬時や施工時等における取り扱いも容易となり、複数のカバー部材が直線的に並び易くて目地の直線性についての施工仕上がり外観も確保される。
【０００９】
また、連結杆は、その両端部分がカバー部材の嵌合凸部となる一対の脚片の間隔スペースに嵌合されて複数のカバー部材を連結するので、嵌合凸部がベース部材の嵌合凹部に嵌合されることにより連結杆の両端部分は両脚片間で抜け外れないよう確実に挟持され、両脚片の間隔スペースが有効活用されて構造も複雑化しない。
【発明を実施するための最良の形態】
【００１０】
図１〜４は、本願の請求項１〜４全てに対応した一実施形態を示している。この実施形態のサイディング用役物は、図１〜３に示すように、帯板状の表面化粧部１の裏側略中央に一対の脚片２でなる嵌合凸部３が長手方向に沿って突設されたカバー部材４と、カバー部材４を取付保持するために嵌合凸部３が嵌合される嵌合凹部５を有して建物躯体６に固定されるベース部材７と、を備えており、カバー部材４の表面化粧部１の両側背方にサイディング本体８の端部が納められるものである。
【００１１】
この場合に、長手方向で隣接するカバー部材４の端部間に連結杆９を介設し、連結杆９の両端部分をカバー部材４の嵌合凸部３となる一対の脚片２の間隔スペースＳに嵌合してカバー部材４を連結し、この状態で嵌合凸部３を嵌合凹部５に嵌合して、複数のカバー部材４が連結一体化されてベース部材７に取付保持されるようになしている。
【００１２】
また、この実施形態のサイディング用役物にあっては、図４に示すように、連結杆９を弾性材料で形成しており、この連結杆９の外周面には抜け止め用の複数の凸起１０を形成してもいる。しかも、図１、２に示すように、嵌合凸部３となる一対の脚片２を基片１１から二股状に分岐させて形成している。
【００１３】
以下、この実施形態のサイディング用役物をより具体的詳細に説明する。この実施形態のサイディング用役物は、建物の外装に適用されるもので、図１、２に示すように、建物の外壁である建物躯体６に固定されるベース部材７にカバー部材４を取付保持させて、このカバー部材４の両側背方に外壁板材であるサイディング本体８の端部を納めるものである。サイディング本体８は金属サイディングと称されるもので、化粧された亜鉛メッキ鋼鈑やステンレス板等の裏面にロックウール等の断熱材を装着一体化して形成されたものである。
【００１４】
また、サイディング本体８は建物の外壁に横張り施工されるもので、サイディング用役物が縦目地部位に適用されることになり、上下に複数枚並設されるサイディング本体８の側端部をカバー部材４が覆い隠すことになる。この実施形態のサイディング用役物は外壁の平面部位に適用されるもので、カバー部材４の表面化粧部１は平板状であるが、本願発明のサイディング用役物は、外壁の平面部位だけでなく出隅や入隅等のコーナー部位に適用されるものであってもよく、その場合は、カバー部材４の表面化粧部１がコーナー部位に対応して断面略直角に折曲したものとなる。
【００１５】
カバー部材４は、主として嵌合凸部３を構成する内部材１２と、主として表面化粧部１を構成する外部材１３と、で形成されている。内部材１２は断面略Ｔ字状のアルミニウム型材でなり、その上辺部分に外部材１３が取着固定されている。外部材１３は前記サイディング本体８の表面部材と同種の材料で形成されており、外部材１３で構成される表面化粧部１の両側背方にＥＰＤＭでなる防水パッキン材１４が長手方向に沿って装着されている。この防水パッキン材１４はサイディング本体８の側端部表面に密着状に圧接され、縦目地部位からの雨水等の侵入を防止する。
【００１６】
カバー部材４は、図１、３に示すように、連結杆９を介して上下方向に複数連結されるものである。その際、各カバー部材４上端縁の表面化粧部１の裏側から上方へ突出延設された水返し片１５の外側に、上側に連結されるカバー部材４の表面化粧部１の下端縁部分が重ね合わされて、各カバー部材４間での防水性が確保される。この場合、水返し片１５は前記外部材１３の上端縁部分が延出され折曲されて、この外部材１３と一体に形成されている。また、各カバー部材４の上下長さ寸法は、前記外壁に横張り施工されるサイディング本体８の上下巾寸法と等しく設定されていてもよく、この場合、上下の各サイディング本体８間の目地ラインと各カバー部材４間の連結ラインとが一直線状に連続される。
【００１７】
カバー部材４の前記断面略Ｔ字状の内部材１２は前記外部材１３と略等しい上下長さ寸法で、その中辺部分が上辺部分から二股状に突設されて、一対の脚片２を基片１１から二股状に分岐させて形成した嵌合凸部３となっている。両脚片２の先端縁外側には係止凸起１６が形成されており、この係止凸起１６が嵌合凹部５内で係止されることにより、嵌合凸部３は嵌合凹部５内に抜け外れないよう嵌合保持される。また、その際、両脚片２の間隔スペースＳ内に連結杆９が挟持されていて、嵌合凸部３は嵌合凹部５に弾性的に嵌合保持される。
【００１８】
図１、２に示すように、建物躯体６に固定されるベース部材７は断面略逆Ｔ字状で、前記カバー部材４の内部材１２と同種の材料で形成され、建物躯体６に当接固着される平基板部１７と、この平基板部１７の表側略中央で対にして突設される起立片部１８と、を有した形状となっている。両起立片部１８間の中程には補強片部１９が一体に架設されており、この補強片部１９よりも表側の両起立片部１８間のスペースが嵌合凹部５となる。嵌合凹部５の内壁には複数の係止凸片２０が突出形成されており、奥方両側の係止凸片２０に前記両脚片２の係止凸起１６が係止されることで、嵌合凸部３は嵌合凹部５内に抜け外れないよう嵌合保持されており、その際、先方両側の係止凸片２０も両脚片２の外側に圧接されていて、嵌合凸部３が嵌合凹部５に弾性的に嵌合保持されている。
【００１９】
ベース部材７の平基板部１７の両側表面には凸条２１が二条ずつ突設されており、両凸条２１の上からサイディング本体８の端部が載設して納められ、両凸条２１は雨水等がサイディング本体８の裏側へ廻って侵入するのを防止する水切りの役目を果たす。また、ベース部材７には複数のＶ字状溝２２が形成されており、このＶ字状溝２２に沿った位置でねじ、ビス等の固着具を貫通させて、この固着具によりベース部材７は建物躯体６に取着固定される。
【００２０】
連結杆９は、図４に示すように、断面円形の中空パイプ形状であり、その両端部側各々の外周面に抜け止め用の複数の凸起１０が抜け止め方向に突出形成されている。連結杆９は金属、合成樹脂等の弾性材料で形成されており、金属で形成される場合は、切り起こし加工によって凸起１０を設けることができ、合成樹脂で形成される場合は、凸起１０を連結杆９と一体成形することができる。連結杆９を軟質合成樹脂、ゴム等の柔軟な弾性材料で形成してもよく、この場合は、両脚片２の間隔スペースＳ内で連結杆９が変形し易くなり、嵌合凸部３として弾性変形性に富んだものとなる。
【００２１】
したがって、この実施形態のサイディング用役物においては、嵌合凸部３となる一対の脚片２が嵌合凹部５に嵌合されてカバー部材４はベース部材７に取付保持され、カバー部材４の表面化粧部１の両側背方に、横張りされた複数枚のサイディング本体８の側端部が体裁良く納められて保護される。
【００２２】
しかも、その際、連結杆９の両端部分をカバー部材４の嵌合凸部３となる一対の脚片２の間隔スペースＳに嵌合してカバー部材４を連結し、この状態で嵌合凸部３を嵌合凹部５に嵌合して、複数のカバー部材４が連結一体化された状態でベース部材７に取付保持されるため、複数のカバー部材４を一連にまとめて取付保持させることができて施工は簡単となる。更には、連結杆９を外して各カバー部材４を分離しておくことで運搬時や施工時等における取り扱いも容易となり、複数のカバー部材４が直線的に並び易くて縦目地の直線性についての施工仕上がり外観も確保される。
【００２３】
また、連結杆９は、その両端部分がカバー部材４の嵌合凸部３となる一対の脚片２の間隔スペースＳに嵌合されて複数のカバー部材４を連結するので、嵌合凸部３がベース部材７の嵌合凹部５に嵌合されることにより連結杆９の両端部分は両脚片２間で抜け外れないよう確実に挟持されると共に、嵌合凸部３が弾性力を伴って確実に嵌合されて嵌合凹部５から抜け外れ難くなり、従前から存在する両脚片２の間隔スペースＳが有効活用されて構造も複雑化しない。
【００２４】
また、この実施形態のサイディング用役物においては、連結杆９が弾性材料で形成されているため、両脚片２の間隔スペースＳ内に挟持される連結杆９が両脚片２と共に弾性変形し、嵌合凸部３は全体として弾性が増大されて嵌合凹部５に対して馴染み良く弾性的に嵌合保持され、がたつきなく容易に嵌合されるものとなっている。しかも、連結杆９の外周面には抜け止め用の複数の凸起１０が形成されているため、連結杆９は両脚片２の間隔スペースＳから抜け外れ難く、各カバー部材４の連結された状態が確保される。更に、嵌合凸部３となる一対の脚片２が、一つの基片１１から二股状に分岐して形成されているため、基片１１の部分において嵌合凸部３は弾性変形し易く、嵌合凹部５に対して無理なくより容易に嵌合されるものとなっている。
【図面の簡単な説明】
【００２５】
【図１】本願発明の一実施形態であるサイディング用役物の施工された状態を示す斜め下方から見た斜視図。
【図２】同サイディング用役物の施工途中の状態を示す断面図。
【図３】同サイディング用役物の施工された状態を示す正面図。
【図４】同サイディング用役物における連結杆を示す斜視図。
【図５】従来例であるサイディング用役物の施工された状態を示す断面図。
【符号の説明】
【００２６】
１  表面化粧部
２  脚片
３  嵌合凸部
４  カバー部材
５  嵌合凹部
６  建物躯体
７  ベース部材
８  サイディング本体
９  連結杆
１０  凸起
１１  基片
【図１】
2007224515.tif 000003
【図２】
2007224515.tif 000004
【図３】
2007224515.tif 000005
【図４】
2007224515.tif 000006
【図５】
2007224515.tif 000007